(57)【要約】【課題】地震などによる外力が作用した場合にガラスパネルの破損を防止し易いと共に、ガラスパネルを通した左右方向の視野を広く確保し易い利点を特に損なうことなく、曲げ剛性が小さいガラスパネルを採用しても、風圧が作用したときのガラスパネルの撓み変形を効果的に規制できるようにする。【解決手段】矩形ガラスパネルＰ１の上下辺部の夫々を、躯体側に固定してあるサッシに嵌め込んでパネル面に沿う方向に移動可能に支持してあるとともに、ガラスパネルの左右辺部の夫々に沿って補強材４を一体に接着固定してあるガラスパネル支持構造であって、補強材を躯体側の固定部５にガラスパネルのパネル面に沿う方向に相対移動可能に支持する支持部６を設けてある。【選択図】図３
2008214868.tif 000002
【特許請求の範囲】
【請求項１】
矩形ガラスパネルの上下辺部の夫々を、躯体側に固定してあるサッシに嵌め込んでパネル面に沿う方向に移動可能に支持してあるとともに、
前記ガラスパネルの左右辺部の夫々に沿って補強材を一体に接着固定してあるガラスパネル支持構造であって、
前記補強材を躯体側の固定部に前記ガラスパネルのパネル面に沿う方向に相対移動可能に支持する支持部を設けてあるガラスパネル支持構造。
【請求項２】
前記補強材を前記左右辺部の略全長に亘って一連に接着固定してある請求項１記載のガラスパネル支持構造。
【発明の詳細な説明】
【技術分野】
【０００１】
本発明は、矩形ガラスパネルの上下辺部の夫々を、躯体側に固定してあるサッシに嵌め込んでパネル面に沿う方向に移動可能に支持してあるとともに、前記ガラスパネルの左右辺部の夫々に沿って補強材を一体に接着固定してあるガラスパネル支持構造に関する。
【背景技術】
【０００２】
上記ガラスパネル支持構造は、矩形ガラスパネルの上下辺部の夫々を、躯体側に固定してあるサッシに嵌め込んでパネル面に沿う方向に移動可能に支持してあるので、地震などによる外力が作用した場合に、ガラスパネルの上下辺部とサッシとのパネル面に沿う相対変位を許容して、ガラスパネルの破損を防止し易い利点がある。
また、ガラスパネルの左右辺部の夫々に沿って補強材を一体に接着固定してあるので、ガラスパネルの左右辺部の夫々を躯体側に固定してあるサッシに嵌め込むことなく、ガラスパネルの風圧による撓み変形を左右辺部において規制することができ、ガラスパネルを通した左右方向の視野を広く確保し易い利点がある（例えば、特許文献１参照）。
【０００３】
【特許文献１】特開平６−１８５２６６号公報
【発明の開示】
【発明が解決しようとする課題】
【０００４】
ところが、大きな風圧が作用してもガラスパネルの撓み変形を左右辺部において効果的に規制できるようにするためには、曲げ剛性が大きい大型の補強材を接着固定しておく必要があり、この場合は、ガラスパネルを通した左右方向の視野を広く確保し易い利点が損なわれ易い欠点がある。
また、曲げ剛性が小さい小型の補強材を接着固定して、ガラスパネルを通した左右方向の視野を広く確保できるようにしながら、大きな風圧が作用してもガラスパネルの撓み変形を効果的に規制できるようにするためには、曲げ剛性が大きくて撓み難いガラスパネルを採用する必要がある。
本発明は上記実情に鑑みてなされたものであって、地震などによる外力が作用した場合にガラスパネルの破損を防止し易いと共に、ガラスパネルを通した左右方向の視野を広く確保し易い利点を特に損なうことなく、曲げ剛性が小さいガラスパネルを採用しても、風圧が作用したときのガラスパネルの撓み変形を効果的に規制できるようにすることを目的とする。
【課題を解決するための手段】
【０００５】
本発明の第１特徴構成は、矩形ガラスパネルの上下辺部の夫々を、躯体側に固定してあるサッシに嵌め込んでパネル面に沿う方向に移動可能に支持してあるとともに、前記ガラスパネルの左右辺部の夫々に沿って補強材を一体に接着固定してあるガラスパネル支持構造であって、前記補強材を躯体側の固定部に前記ガラスパネルのパネル面に沿う方向に相対移動可能に支持する支持部を設けてある点にある。
【０００６】
〔作用及び効果〕
補強材を躯体側の固定部にガラスパネルのパネル面に沿う方向に相対移動可能に支持する支持部を設けてあるので、地震などによる外力が作用した場合には、補強材の固定部に対するガラスパネルのパネル面に沿う方向の相対移動で、ガラスパネルの上下辺部とサッシとのパネル面に沿う相対変位を許容しながら、補強材の撓み変形を規制できるとともに、支持部近くのガラスパネルに局所的に発生する応力を緩和できる。
従って、地震などによる外力が作用した場合にガラスパネルの破損を防止し易いと共に、ガラスパネルを通した左右方向の視野を広く確保し易い利点を特に損なうことなく、風圧が作用したときのガラスパネルの撓み変形をより効果的に規制できる。
【０００７】
本発明の第２特徴構成は、前記補強材を前記左右辺部の略全長に亘って一連に接着固定してある点にある。
【０００８】
〔作用及び効果〕
補強材を左右辺部の略全長に亘って一連に接着固定してあるので、左右辺部の夫々に長手方向で隣り合う複数の補強材を接着固定して、各補強材を躯体側の固定部に支持する支持部を設けてある場合に比べて、風圧が作用したときのガラスパネルの撓み変形をガラスパネルの左右辺部において略全長に亘って規制できるようにしながら、支持構造の簡略化を図ることができる。
【発明を実施するための最良の形態】
【０００９】
以下に本発明の実施の形態を図面に基づいて説明する。
図１は、複数階層を構成している複数の床スラブＡと各床スラブＡを支持する鋼製梁部材Ｂとを設けてある建物における外壁Ｃを示し、この外壁Ｃは矩形ガラスパネルの一例としての矩形複層ガラスＰ１，Ｐ２の複数を上下左右に並設して構成してある。
【００１０】
前記外壁Ｃにおける各複層ガラスＰ１，Ｐ２の支持構造を説明する。
躯体側の構造物である床スラブＡと、その床スラブＡを支持している梁部材Ｂとの組み合わせ毎に、床スラブＡと梁部材Ｂとに亘って、鉛直方向に沿う縦フレーム１の複数を水平方向に略一定間隔を隔てて固定してあり、各縦フレーム１の上端部と下端部との夫々に亘って水平方向に沿う横サッシ２を固定し、各縦フレーム１の夫々には鉛直方向に沿う縦サッシ３を固定してある。
【００１１】
そして、第１複層ガラスＰ１の複数を、その上下辺部の夫々を上層階側の横サッシ２と下層階側の横サッシ２とに嵌め込んでパネル面に沿う方向に移動可能に支持し、第２複層ガラスＰ２の複数を、横サッシ２と縦サッシ３とにパネル面に沿う方向に移動可能に嵌め込んである。
【００１２】
前記第１複層ガラスＰ１は、二枚の板ガラスＧをその周部にスペーサＳを挟んで対向させて、両板ガラスＧ間に空隙Ｖを形成し、その空隙Ｖの周部をシール材Ｔで封止して構成してある。
【００１３】
前記第１複層ガラスＰ１の夫々は、本発明によるガラスパネル支持構造によって支持してあり、図２，図３に示すように、一枚の第１複層ガラスＰ１毎に、その左右辺部の夫々に沿って補強材４を一体に接着固定してある。
【００１４】
前記補強材４の上下方向で中間の一箇所を第１複層ガラスＰ１のパネル面に沿う方向に相対移動可能に支持する支持部６を、梁部材Ｂ側に下向きにボルト固定してある躯体側の固定部であるアーム部材５にボルト固定してある。
【００１５】
前記補強材４は、図３に示すように、第１複層ガラスＰ１の左右辺部をその略全長に亘って一連に入り込ませる接着用凹溝７を形成してある第１チャンネル部８と、支持部６を上下移動可能に入り込ませる支持用凹溝９を形成してある第２チャンネル部１０とを一体に備えたアルミ押し出し成型品で構成してある。
【００１６】
そして、第１複層ガラスＰ１の左右辺部を、横断面形状がコの字形のゴム製シール材１１を挟んで接着用凹溝７に嵌め込むとともに、そのゴム製シール材１１を左右辺部と第１チャンネル部８との夫々に接着剤で接着して、補強材４を左右辺部の略全長に亘って一連に接着固定してあり、図示しないが、補強材４の上下両端部は上下の横サッシ２に対して接続しない状態で設けてある。
【００１７】
尚、ゴム製シール材１１に代えて、第１複層ガラスＰ１のガラス面を傷付けない材料からなるシール材１１、例えば、樹脂製シール材１１やアルミニウム合金などの軟質金属製シール材１１を挟んで、第１複層ガラスＰ１の左右辺部を接着用凹溝７に嵌め込んであっても良い。
【００１８】
前記支持部６は、固定基板１２にボス部材１３を一体に設けてある荷重受け部１４に、第２チャンネル部１０に対する取り付け用のナット１５を螺合してある雄ねじ部材１６を固定してあるとともに、その雄ねじ部材１６の先端に支持用凹溝９に嵌め込む円板状の嵌合部材１７を備えた支持金具で構成してあり、嵌合部材１７とナット１５には、フッ素系樹脂などからなるシート状の滑り材１９を貼り付けてある。
【００１９】
そして、第１複層ガラスＰ１の左右辺部の夫々に補強材４を接着固定して、スペーサ１８を挟んで互いに隣り合い、かつ、支持金具６の嵌合部材１７を隣り合う補強材４の両支持用凹溝９に亘って入り込ませた状態で、第１複層ガラスＰ１の上下辺部の夫々を上層階側の横サッシ２と下層階側の横サッシ２とに嵌め込んである。
【００２０】
尚、２０は、第１チャンネル部８どうしの隙間を建物外側から埋めているシール材であり、２１は、第１チャンネル部８どうしの隙間を建物内側から埋めている定型シール材である。
【００２１】
前記支持金具６は、固定基板１２をアーム部材５にボルト固定するとともに、ナット１５を第２チャンネル部１０側に締め付けることにより両補強材４に固定した状態で、各第２チャンネル部１０と雄ねじ部材１６の外周面との間に環状の軟質シール材２２を装着して、嵌合部材１７とナット１５の夫々に貼り付けてある滑り材１９と、その滑り材１９に挟まれた第２チャンネル部１０との相対的な滑りを許容することにより、補強材４を躯体側の固定部であるアーム部材５に対して回転軸部材としての雄ねじ部材１６周りで第１複層ガラスＰ１のパネル面に沿う方向に相対回転移動可能、かつ、軟質シール材２２の弾性変形で雄ねじ部材（回転軸部材）１６の径方向に相対移動可能に支持してある。
【００２２】
〔その他の実施形態〕
１．本発明によるガラスパネル支持構造は、単板の板ガラスからなるガラスパネルを支持してあるガラスパネル支持構造であっても良い。
２．本発明によるガラスパネル支持構造は、左右辺部の夫々に長手方向で隣り合う複数の補強材を接着固定して、各補強材を躯体側の固定部に各別に支持する支持部を設けてあっても良い。
３．本発明によるガラスパネル支持構造は、補強材を躯体側の固定部としての手摺や内壁などに支持する支持部を設けてあっても良い。
４．本発明によるガラスパネル支持構造は、ガラスパネルの左右辺部の夫々に沿ってその建物内側に向ける面にのみ、又は、ガラスパネルの建物内側に向ける面とパネル端面との角部にのみ、補強材を接着固定してあっても良い。
５．本発明によるガラスパネル支持構造は、左右辺部の上下方向中間部にのみ補強材を接着固定して、その補強材を躯体側の固定部に支持する支持部を設けてあっても良い。
【図面の簡単な説明】
【００２３】
【図１】建物外壁の外面側を示す正面図（イ）と建物外壁の縦断面図（ロ）
【図２】要部の一部断面側面図（イ）と要部の一部断面正面図（ロ）
【図３】要部の横断面図
【符号の説明】
【００２４】
Ｐ１  ガラスパネル
２  サッシ
４  補強材
５  固定部
６  支持部
【図１】
2008214868.tif 000003
【図２】
2008214868.tif 000004
【図３】
2008214868.tif 000005